(57)【要約】
【課題】　空想を豊かとし、より楽しく遊ぶことができる粘土玩具セットとする。
【解決手段】　ヘラ13やローラー15更には押し型25などの粘土加工用の道具を動物や植物又は乗物などを連想させる形態とし、連想するテーマを設定した道具を組合わせて粘土とセットとする粘土玩具セットとする。
【選択図】　　図１
0003099807.tif 000002
【実用新案登録請求の範囲】
【請求項１】
　粘土と乗物の外観を呈する粘土細工用のヘラとを組合わせ、更に乗物の形をした空洞部を備えた粘土細工用の押し型と台車などの附属品を組合わせたことを特徴とする粘土玩具セット。
【請求項２】
　道路や線路、川などを描いた保護シートを更に加えた組合わせとしたことを特徴とする請求項１に記載した粘土玩具セット。
【請求項３】
　粘土と動物や植物の外観を呈する粘土細工用のヘラと動物の形をした空洞部を備えた粘土細工用の押し型とを組合わせたことを特徴とする粘土玩具セット。
【請求項４】
　海や山、川を描いた保護シートを加えた組合わせとしたことを特徴とする請求項３に記載した粘土玩具セット。
【請求項５】
　粘土と動物の外観を呈する粘土細工用のヘラとを組合わせたことを特徴とする粘土玩具セット。
【請求項６】
　粘土と動物の外観を呈する粘土細工用のヘラと動物や植物を描いた粘土細工用のカッターやローラー及び単純な形状とされる粘土細工用の抜き型を組合わせたことを特徴とする粘土玩具セット。
【請求項７】
　粘土と動物や植物の外観を呈するヘラやカッターと動物や植物を描いたローラー及び単純な形状の抜き型などの粘土細工用の道具を組合わせたことを特徴とする粘土玩具セット。
【請求項８】
　ナイフやフォーク、スプーン、お皿やカップ、植木などの樹脂製ミニチュアである附属品を加えた組合わせとすることを特徴とする請求項２又は請求項４乃至請求項７の何れかに記載した粘土玩具セット。
【考案の詳細な説明】
【技術分野】
【０００１】
　本考案は、色の異なるカラー粘土とヘラなどの粘土細工用の道具を組合わせた粘土玩具セットに関するものである。
【背景技術】
【０００２】
　従来から、粘土細工をする際の道具である簡単な抜き型や粘土細工用のヘラとを組合わせ、面白く変化に富んだ粘土遊びを可能とする粘土玩具セットが製造販売されていた。
　この粘土玩具セットは、粘土とナイフ状のヘラ、更にはハート形や丸形、菱形などの形状をした抜き型であるリングカッター、又は、貝殻形や動物の顔形などの窪みを形成した押し型などの道具を適宜組合わせたものである。
【考案の開示】
【考案が解決しようとする課題】
【０００３】
　前述の粘土玩具セットは、主材料である粘土と加工ツールの内、多く使用されるヘラや比較的単純な形状の抜き型などの道具を組合わせて粘土遊びを行うことができるようにされているも、この道具は、一般粘土細工用の汎用道具であり、子供の遊び用には面白みに欠ける不具合が合った。
【０００４】
　本考案は、このような欠点を排除し、子供にとって面白味のある粘土玩具セットとし、子供が楽しく遊ぶことができ、空想を豊かとする情操の発育に適した粘土玩具セットとして提供できるようにするものである。
【課題を解決するための手段】
【０００５】
　本考案は、粘土玩具セットとしてテーマを設定し、粘土細工用の道具であるヘラやローラー及びカッターなどを動物や植物又は乗物などを連想させる形態として組合わせるものである。
　即ち、ヘラは、その輪郭形状として木の葉、魚、鳥などの形状をデザイン化した形状とし、葉脈や動物の顔、魚のエラやヒレ、鳥の羽などの模様を描いておくものとし、カッターも本体部分又は全体の形状を動物や植物などをデザイン化した形状として顔などの模様を描いておくものとし、同様にその他の道具であるローラーや押出し器も本体部分又は全体の形状を動物や植物などをデザイン化した形状として顔などの模様を描いておく場合や道具の形状は通常の形状であっても動物の顔や植物の一部を描いておくものであり、これら、動物や植物などを容易に連想させる道具を組合わせるものである。
【０００６】
　そして、この粘土と道具とを組合わせた粘土玩具セットとしては、粘土と乗物の外観を呈するヘラとを組合わせ、更に乗物の形をした空洞部を備えた押し型と台車などの附属品を組合わせた粘土玩具セットとするものである。
　このように、ヘラとして乗物の外観を呈する道具を選択すると共に、押し型も乗物に関するものとして道具が統一されるため、乗物に興味をもたせて面白味を与えると共に、このセットの粘土を用いて粘土細工を行うとき、乗物に関する空想を容易に行わせ、情操を豊かとすることができる。
【０００７】
　尚、粘土細工を行うとき、周囲を汚さないようにするための保護シートもセットに加え、保護シートには道路や線路、川などを描き、この道路や線路、川などを描いた保護シートを組合わせることにより、細工した粘土を保護シートの上において空想をより広げさせることができるようにすることもある。
【０００８】
　又、粘土と動物や植物の外観を呈するヘラと動物の形をした空洞部を備えた押し型とを組合わせた粘土玩具セットとすることも有る。
　このように、押し型やヘラとして動物や植物を連想させる形状や模様を有する道具に統一すれば、動物などに興味をもたせて面白味を与えると共に、このセットの粘土を用いて粘土細工を行うとき、押し型により動物の形をした粘土細工を容易に作り、動物や自然環境に関する空想を容易に行わせ、情操を豊かとすることができる。
【０００９】
　尚、この粘土玩具セットに海や山、川を描いた保護シートを加えた粘土玩具セットとし、細工した粘土を保護シートの上において空想をより広げさせることができるようにすることもある。
　更に、粘土と動物の外観を呈するヘラと動物を描いたローラーなどの道具及び単純な形状の抜き型などの道具を組合わせた粘土玩具セット、粘土と動物や植物の外観を呈するヘラやカッターなどの道具と動物や植物を描いたローラーなどの道具及び単純な形状の抜き型などの道具を組合わせた粘土玩具セットとすることや、粘土と動物の外観を呈するヘラとを組合わせた粘土玩具セットとすることも有る。
【００１０】
　この粘土と動物の外観を呈するヘラとの組合わせ、又は、前述の粘土と乗物の外観を呈するヘラとの組合わせ、粘土と動物の外観を呈するヘラと動物や植物を描いた道具及び抜き型などの道具の組合わせや、粘土と動物や植物の外観を呈する道具と動物や植物を描いた道具及び抜き型などの道具の組合わせなどに、更に附属品を加えた粘土玩具セットとすることも有る。
【００１１】
　この附属品としては、粘土を板状に延ばしたり捏ね合せる際に使用する粘土細工板や、ナイフやフォーク、スプーン、お皿やカップ、植木などの樹脂製ミニチュアがある。
　このように、動物や植物の外観を呈するヘラなどの道具又は動物や植物を描いた道具を粘土と組合わせることにより、粘土細工を行うときに自然環境を連想又は空想させ、自然環境に興味を持たせて情操を豊かにすると共に面白味のある粘土遊びを行わせることができる。
【考案の効果】
【００１２】
　本考案は、動物や植物又は乗物を連想させる粘土細工用道具と粘土とをテーマに合わせて組合わせるものであり、乗物を連想させるヘラを乗物の押し型などと組合わせたセットは、乗物に興味をもたせてあそばせることができる。
　そして、道路や線路などを描いた保護シートを加えたセットは、空想を大きく膨らませてあそばせることができる。
【００１３】
　又、動物や植物を連想させるヘラを動物の押し型などと組合わせたセットは、動物や自然環境に興味をもたせてあそばせることができる。
　そして、海や山などを描いた保護シートを加えたセットは、空想を大きく膨らませてあそばせることができる。
【００１４】
　更に、動物の外観を呈するヘラを組合わせたセットは、ヘラを用いて粘土細工を行うときに楽しく細工を行わせ、樹脂製ミニチュアなどの附属品を加えたセットでは、細工をした粘土で遊ぶときに楽しく且つ情操を豊かにするように遊ばせることができる。
【考案を実施するための最良の形態】
【００１５】
　本考案は、乗物、木の葉、動物、魚、鳥などの形状をデザイン化した輪郭形状とすると共に、乗物、葉脈や動物の顔、魚のエラやヒレ、鳥の羽などの模様を描いた粘土細工道具としてのヘラ、又、カッターの全体又はカッターの本体部分を動物や植物などをデザイン化した形状として本体部分に顔などの模様を描いた粘土細工道具としてのカッター、その他、本体部分又は全体の形状を動物や植物などをデザイン化した形状として顔などの模様を描いた粘土細工道具としてのローラーや押出し器などを用意し、テーマを設定し、ヘラやローラー及びカッターなどの道具と複数の色の異なるカラー粘土と組合わせてセットとするものである。
【００１６】
　そして、このセットには、単純な形状の輪郭とする粘土細工道具としての抜き型や乗物又は動物の形をした空洞部を有する粘土細工道具としての押し型、附属品としての台車又は附属品としてナイフやフォーク、お皿やカップ、更には樹木や花などの樹脂製ミニチュアなどを適宜に追加するものである。
【００１７】
　尚、単純な形状の輪郭を有する抜き型としては、乗物の輪郭、動物の顔の輪郭、ハート形又はりんごなどの果物の形、花びら形や円形、四角形、楕円形、菱形などがある。
【実施例】
【００１８】
　本考案に係る粘土玩具セットの第１の実施例は、図１に示すように、５個の色の異なるカラー粘土11とヘラ13やローラー15、カッター17,18、抜き型21や押出し器23をセットとしてセット用トレー10に収め、折り畳んだ保護シートや合成樹脂製平板状の粘土細工板をこのセット用トレー10と共に合わせて箱詰めするものである。
　尚、保護シートは、１メートル四方程度の大きさのビニールシートを用い、粘土細工板は、剛性を有する樹脂板を用いるものである。
【００１９】
　このカラー粘土11は、小麦粘土と呼ばれる粘土を用いるものであり、小麦粉と塩を原料として安全を図り、顔料を加えて鮮やかな白色、ブルー、グリーン、イエロー、レッド、などの色としている。
　そして、ヘラ13は、図２に示すように、その輪郭形状を魚型とすると共に、目や口、ヒレなどを描いて明らかに魚を連想させるようにし、ローラーカッター18は、図３に示すように、花を連想させるように花びら形のローラーエッジとし、このローラーカッター18の柄には茎の模様や葉の模様を描くものであり、糸カッター17は、図４に示すように、大きく口を開いた鰐をデザイン化して口の間にワイヤーを張ったカッターとし、粘土を板状に延ばすローラー15も、図５に示すように、その持ち手部に動物の顔などを描くものである。
【００２０】
　又、抜き型21は、図６に示すように、自動車の輪郭形状や例えば十字形の花弁形状、動物の顔の輪郭形状、果物の輪郭形状などの形状をした筒状のリングカッターとするものである。
　更に、押出し器23は、蓋と本体部とで構成し、図７に示すように、本体部の内側には空間を設けて空間の底部に多数の穴を設けつつこの底部を本体部下端よりも高い位置とし、本体部に動物の顔を描き、蓋の裏側には本体部空間に挿入される円筒部を形成しておき、本体部の空間に入れた粘土11を蓋の円筒部で穴から押出してうどん状の細長い粘土とすることができるようにするものである。
【００２１】
　従って、この粘土玩具セットは、動物を連想させ、動物と遊ぶ感覚で粘土細工をする楽しさを思わせ、購買者の注意を引くことができる。
　そして、この粘土玩具セットで遊ぶときは、図８に示すように、粘土細工板41の上に粘土を置き、ローラー15で平たく延ばし、抜き型21で動物の顔の形や自動車の形を抜くことができ、この抜き型21で動物の顔形を抜いたとき、他の色の粘土で顔を作り、自動車の形を抜いたときは、他の色の粘土で更に自動車の窓を付け加えるなどを行って遊ぶことができる。
【００２２】
　また、糸カッター17やローラーカッター18で板状の粘土や丸めた粘土を切断又は加工することができ、細工する粘土を動物や乗物の形として楽しむだけでなく、道具を使用するときも動物と遊ぶ感覚で粘土細工遊びを行うことができる。
　尚、カラー粘土11は、図９に示すように、合成樹脂製の粘土用容器12に収めてセット用トレー10に収納するものであり、粘土の乾燥や変質を密閉容器により防止しているものである。
【００２３】
　そして、本考案の第２の実施例は、図１０に示すように、３色のカラー粘土11とロケットや電車を連想させる粘土細工用のヘラ13と、電車や船及び自動車などの乗物の形状をした空洞部を有する押し型25とミニチュアの車輪を有する４輪の台車31とをセット用トレー10に収め、このセット用トレー10と線路や道路及び川や海を描いた保護シートとを合わせて箱詰めするものである。
【００２４】
　この場合のヘラ13も、図１１に示すように、その外形はヘラ13としての機能を待たせるように一部を薄くしつつ輪郭形状としては、ロケットや新幹線などを連想させる形状とすると共にロケットや新幹線の絵を描くものであり、附属品としての台車31も、図１２に示すように、回転可能な４つの車輪を設けた樹脂製の平板状本体を有する台車31とするものである。
【００２５】
　又、押し型25は、図１３に示すように、乗物の形状をした空洞部を有する上型と下型とをヒンジで接続した合成樹脂製の押し型25とし、上型を開いて空洞部に粘土を充分に置き、上型を閉じると乗物の形の粘土とすることができ、乗物形状とされた粘土の下方に押出し口の形状にはみ出した余分の粘土をヘラ13やカッターで除くことにより乗物形状として台車31に乗せ、この台車31は平板状本体の左右に２個づつの回転可能な車輪を有しているため、乗物形状とした粘土を走らせるようにして遊ぶことができるものである。
　尚、乗物の形の空洞部としては、図１４のＡに示すように、船の形とする場合や図１４のＢに示すように電車とする場合、図１４のＣに示すように自動車とする場合などが有る。
【００２６】
　このように、ヘラ13や押し型25が乗物を連想させる形状や模様とされているため、乗物を動かす感覚で楽しく遊ぶことを空想させて購買者の興味を引き、粘土細工で遊ぶときは、保護シート43の上で粘土細工を行って周囲を汚すことなく、又、乗物の形を押し型25で形成し、更に、ヘラ13で細工した粘土に窓などを描き、又は、他の色の粘土を小さく千切って窓の位置に貼り付けて遊ぶことができるものであって、図１５に示した保護シート43に描かれた線路や道路、海に細工した粘土を置いたり動かしたりして遊ぶこともできる。
【００２７】
　又、本考案の第３の実施例は、図１６に示すように、３色のカラー粘土11と鳥の輪郭形状にして鳥を連想させる模様を描いたヘラ13と葉を連想させる形状にして葉脈を描いたヘラ13と動物の形状の空洞部を備えた押し型25とを組合わせてセット用トレー10に収め、このセット用トレー10と海や山を描いた保護シート43とを合わせて箱詰めするものである。
【００２８】
　このヘラ13も、図１７に示すように、木の葉や鳥を連想させる形状及び模様を有し、厚肉部分と薄肉部分を設けてヘラ13の機能を持たせるものとしている。
　そして、図１９に示すように、動物の形をした空洞部を備える上型と下型とをヒンジで接続した押し型25、及び、図１８に示したような柵の形とする空洞部を備える押し型25もセットとして組合わせているため、粘土を押し型25で動物の形としてヘラ13で動物の形整えることが容易にできる。
【００２９】
　従って、鳥と遊ぶ感覚で鳥のヘラ13や葉のヘラ13を用いて粘土細工を行わせ、自然環境を空想させることができ、押し型25で動物の形の粘土を形成し、保護シート43の上で遊ぶことができる。
　そして、本考案の第４の実施例は、図２０に示すように、３色のカラー粘土11と魚を連想させる輪郭にして魚の模様を描いたヘラ13と鯨の輪郭形状にして鯨を連想させる模様を描いたヘラ13、及び、樹脂製のデザートカップ33やスプーン34及びフォーク35、更にお皿36などのミニチュアを組合わせてセット用トレー10に収め、このセット用トレー10と保護シートとを合わせて箱詰めするものである。
【００３０】
　このヘラ13も、図２１に示すように、魚を連想させる形状及び模様を有し、厚肉部分と薄肉部分を設けてヘラ13の機能を持たせるものとしている。
　そして、附属品のスプーン34とフォーク35更にお皿36とデザートカップ33のミニチュアは、図２２に示すように、合成樹脂を成形したミニチュア食器とするものである。
【００３１】
　従って、魚や鯨と遊ぶ感覚でヘラ13を用いて粘土細工を行うことができ、粘土を丸めたり平たく加工し、加工した粘土を組合わせて食事やデザートを作り、ミニチュアの食器を用いて遊ぶことができる。
【００３２】
　更に、本考案の第５の実施例は、図２３に示すように、５色のカラー粘土11と、輪郭形状を魚型とすると共に、目や口、ヒレなどを描いて明らかに魚を連想させるヘラ13、持ち手部に動物の顔を描いたローラー15、及び、丸形状や三角形状、四角形状の単純な形状の抜き型21を組合わせてセット用トレー10に収め、このセット用トレー10と保護シートとを合わせて箱詰めするものである。
　尚、単純な形状の抜き型21は、図２４に示すように、丸形や三角形、四角形をした筒状のリングカッターを用いるものである。
【００３３】
　従って、ローラー15で粘土を延ばして抜き型21で粘土を抜き切り、ヘラ13で粘土に細工を加えて遊ぶことができ、ローラー15やヘラ13を使用するときや形抜きした粘土で遊ぶときに動物と関連付けた空想を容易に行うことができる。
【産業上の利用可能性】
【００３４】
　本考案は、乗物又は動物や植物などを連想させる粘土細工用の道具を粘土と組合わせているため、乗物や自然環境を連想させて遊ばせる粘土玩具セットとし、面白く遊ばせることができると共に子供の情操を豊かとすることができる。
【図面の簡単な説明】
【００３５】
【図１】本考案に係る粘土玩具セットの第１の実施例を示す図。
【図２】本考案に係る粘土玩具セットに用いる粘土細工用のヘラの一例を示す図。
【図３】本考案に係る粘土玩具セットに用いる粘土細工用のリングカッターの一例を示す図。
【図４】本考案に係る粘土玩具セットに用いる粘土細工用の糸カッターの一例を示す図。
【図５】本考案に係る粘土玩具セットに用いる粘土細工用のローラーの一例を示す図。
【図６】本考案に係る粘土玩具セットに用いる粘土細工用の抜き型の一例を示す図。
【図７】本考案に係る粘土玩具セットに用いる粘土細工用の押出し器の一例を示す図。
【図８】本考案に係る粘土玩具セットに用いる粘土細工板の一例を示す図。
【図９】本考案に係る粘土玩具セットに用いる粘土用容器の一例を示す図。
【図１０】本考案に係る粘土玩具セットの第２の実施例を示す図。
【図１１】本考案に係る粘土玩具セットに用いる粘土細工用のヘラの一例を示す図。
【図１２】本考案に係る粘土玩具セットに用いる附属品としての台車の一例を示す図。
【図１３】本考案に係る粘土玩具セットに用いる粘土細工用の押し型の一例を示す図。
【図１４】本考案に係る粘土玩具セットに用いる粘土細工用の押し型の例を示す図。
【図１５】本考案に係る粘土玩具セットに用いる保護シートの一例を示す図。
【図１６】本考案に係る粘土玩具セットの第３の実施例を示す図。
【図１７】本考案に係る粘土玩具セットに用いる粘土細工用のヘラの例を示す図。
【図１８】本考案に係る粘土玩具セットに用いる粘土細工用の押し型の一例を示す図。
【図１９】本考案に係る粘土玩具セットに用いる粘土細工用の押し型の例を示す図。
【図２０】本考案に係る粘土玩具セットの第４の実施例を示す図。
【図２１】本考案に係る粘土玩具セットに用いる粘土細工用のヘラの例を示す図。
【図２２】本考案に係る粘土玩具セットに用いる附属品の例を示す図。
【図２３】本考案に係る粘土玩具セットの第５の実施例を示す図。
【図２４】本考案に係る粘土玩具セットに用いる粘土細工用の抜き型の例を示す図。
【符号の説明】
【００３６】
　１０　セット用トレー
　１１　カラー粘土　　　　　　　　　　１２　粘土用容器
　１３　ヘラ　　　　　　　　　　　　　１５　ローラー
　１７　糸カッター　　　　　　　　　　１８　ローラーカッター
　２１　抜き型　　　　　　　　　　　　２３　押出し器
　２５　押し型
　３１　台車
　３３　カップ　　　　　　　　　　　　３４　スプーン
　３５　フォーク　　　　　　　　　　　３６　お皿
　４１　粘土細工板　　　　　　　　　　４３　保護シート
【図１】
0003099807.tif 000003
【図２】
0003099807.tif 000004
【図３】
0003099807.tif 000005
【図４】
0003099807.tif 000006
【図５】
0003099807.tif 000007
【図６】
0003099807.tif 000008
【図７】
0003099807.tif 000009
【図８】
0003099807.tif 000010
【図９】
0003099807.tif 000011
【図１０】
0003099807.tif 000012
【図１１】
0003099807.tif 000013
【図１２】
0003099807.tif 000014
【図１３】
0003099807.tif 000015
【図１４】
0003099807.tif 000016
【図１６】
0003099807.tif 000017
【図１７】
0003099807.tif 000018
【図１８】
0003099807.tif 000019
【図１９】
0003099807.tif 000020
【図２０】
0003099807.tif 000021
【図２１】
0003099807.tif 000022
【図２２】
0003099807.tif 000023
【図２３】
0003099807.tif 000024
【図２４】
0003099807.tif 000025
【図１５】
0003099807.tif 000026